(57)【要約】【課題】強度が強いパイプの継手構造を提供すること。【解決手段】二本の単管１０、１０と、隣り合う単管間１０、１０に嵌挿させるインサートパイプ２０と、ピン３０とよりなるパイプの継手構造であって、単管１０にインサートパイプ２０を嵌挿し、単管１０端部の対峙する壁面に設けた第一の孔１１と、インサートパイプ２０に貫通して設けた第二の孔２１とをピン３０で連通、接続することによって、隣り合う単管１０、１０同士を接続することを特徴とした、パイプの継手構造である。【選択図】        図１
2005009603.tif 000002
【特許請求の範囲】
【請求項１】
二本の単管と、隣り合う単管間に亘って嵌挿させるインサートパイプと、ピンとよりなるパイプの継手構造であって、
前記単管に前記インサートパイプを嵌挿し、前記単管端部の対峙する壁面に設けた第一の孔と、前記インサートパイプに貫通して設けた第二の孔とを前記ピンで連通、接続することによって、隣り合う単管同士を接続することを特徴とした、
パイプの継手構造。
【請求項２】
請求項１に記載したパイプの継手構造において、
前記第一の孔に挿通した前記ピンが、前記単管の周面より突出しないことを特徴とする、
パイプの継手構造。
【請求項３】
請求項１または請求項２に記載したパイプの継手構造において、
前記ピンを前記第一の孔に挿通せしめた後、前記第一の孔を含む前記単管の周面を封止体で覆ったことを特徴とする、
パイプの継手構造。
【発明の詳細な説明】
【０００１】
【発明の属する技術分野】
本発明は、パイプの継手構造に関するもので、特に地盤に形成したボーリング孔に調査機器などを挿入するためのパイプに使用したものに関する。
【０００２】
【従来の技術】
地盤に、立坑、斜坑、坑道等を構築する場合、事前に対象地盤の安定性調査が行われる。
この調査には、たとえばボーリングにより得られたコアを観察し、地質分布状況や亀裂の状況および破砕帯の状況などを把握する方法や、ボーリング孔にボアホールカメラやＣＣＤカメラを挿入して、直接ボーリング孔内を観察し、層理面や亀裂の走行や、地中での亀裂の開口幅などを調査する方法がある。
後者のような方法で調査する場合、ボアホールカメラやＣＣＤカメラは、ボーリングロッドなどの鉄パイプや、或いは塩ビ製パイプ（以下、総称して挿入用パイプという。）の先端に取りつけてボーリング孔内へ挿入されるが、その際、一定長さを呈するパイプをボーリング孔の深さに応じて継ぎ足しながら挿入する。
このパイプの継手構造には、ねじ式タイプや、ソケットを介して接続するタイプがある。
【０００３】
【発明が解決しようとする課題】
前記した従来のパイプの継手構造にあっては、次のような問題点がある。
＜イ＞ねじ式タイプは、パイプの外形に対してねじ部が細く形成されているため、強度的に弱点となる。また、ねじ加工は製作コストが高い。
＜ロ＞ソケットを介して接続するタイプは、接着剤でソケットを固定するため、再度分解するには部材を切断するほかなく、再利用することができない。
また、接着剤が硬化するまでには時間がかかり、さらにこの接着が不完全である場合には接続が外れる危険性がある。
さらに、ソケットをパイプの外側に取りつけるタイプでは、断面が大きくなってしまい、当該突出部が挿入時に邪魔になる。
【０００４】
【発明の目的】
本発明は上記したような従来の問題を解決するためになされたもので、強度的に弱点とならないパイプの継手構造を提供することを目的とする。
また、製作コストが廉価なパイプの継手構造を提供することを目的とする。
また、使用後に簡単に分解して、再利用できるパイプの継手構造を提供することを目的とする。
また、接続が簡単、かつ接続が外れる危険のないパイプの継手構造を提供することを目的とする。
また、パイプの周面に突出部が発生しないパイプの継手構造を提供することを目的とする。
本発明は、これらの目的の少なくとも一つを達成するものである。
【０００５】
【課題を解決するための手段】
上記のような目的を達成するために、本発明のパイプの継手構造は、二本の単管と、隣り合う単管間に亘って嵌挿させるインサートパイプと、ピンとよりなるパイプの継手構造であって、前記単管に前記インサートパイプを嵌挿し、前記単管端部の対峙する壁面に設けた第一の孔と、前記インサートパイプに貫通して設けた第二の孔とを前記ピンで連通、接続することによって、隣り合う単管同士を接続することを特徴としたものである。
【０００６】
また、前記したパイプの継手構造において、前記第一の孔に挿通した前記ピンが、前記単管の周面より突出しないことを特徴とするものである。
【０００７】
また、前記したパイプの継手構造において、前記ピンを前記第一の孔に挿通せしめた後、前記第一の孔を含む前記単管の周面を封止体で覆ったことを特徴とするものである。
【０００８】
【発明の実施の形態】
以下図面を参照しながら本発明の実施の形態について説明する。
【０００９】
＜イ＞全体の構造
図１にパイプの継手構造の分解斜視図、図２に横断面図、図３にパイプの軸方向に沿った断面図を示す。
本発明は、二本の単管１０、１０と、隣り合う単管に亘って内挿させるインサートパイプ２０と、ピン３０とよりなるパイプの継手構造において、単管１０にインサートパイプ２０を嵌挿し、単管１０端部の対峙する壁面に設けた第一の孔１１と、インサートパイプ２０に貫通して設けた第二の孔２１とをピン３０で連通、接続することによって、単管１０、１０同士を接続する構成である。
また、必要に応じてピン３０を第一の孔１１に挿通した後、第一の孔１１を含む単管１０の周面を封止体４０で覆っても良い。
以下、各部材について詳述する。
【００１０】
＜ロ＞単管
単管１０は一定の長さを有する筒状の部材であって、その横断面の形状には、たとえば円形、矩形のものなどが使用できる。
単管１０は、単管１０にかかる負荷や用途などに応じて必要なものが選択でき、たとえば鋼管用パイプが使用できる。
単管１０の長さは、作業員一人で容易に持ち運び可能な程度とするのが好ましい。
【００１１】
単管１０の両端部には、単管１０の端面から所定距離をおいて第一の孔１１が形成されている。
第一の孔１１は単管１０の対峙する壁面に、単管１０の軸方向に対して垂直に形成する。
第一の孔１１は後述するピン３０を挿通して配置する孔であって、対峙する各第一の孔１１にはピン３０の端部をそれぞれ位置せしめる。第一の孔１１は、ピン３０の外形より大き過ぎない形状とし、たとえばピン３０の断面形状が丸形である場合、第一の孔１１はピン３０より少し大きめの丸形を開設する。
第一の孔１１は、必ずしも単管１０の壁を貫通している必要はなく、単管１０の内側から外側に向けて形成した有底構造としても良いが、対峙する一方の孔１１は少なくとも貫通させておく。
第一の孔１１は、単管１０の軸芯を通るようにして形成するのが好ましい。
【００１２】
＜ハ＞インサートパイプ
インサートパイプ２０は、隣り合う単管１０に架け渡して嵌挿させる部材であって、各単管１０、１０・・に生じた応力（軸方向の応力および曲げ応力）を隣り合う単管１０に伝播することができる。
インサートパイプ２０は、先述した単管１０の内径に内接する形状とするのが好ましい。インサートパイプ２０には、たとえば鋼管用パイプなどが使用できる。
【００１３】
インサートパイプ２０の両端部には、端面から所定距離をおいた壁面に貫通する第二の孔２１、２１が形成されている。
第二の孔２１、２１はインサートパイプ２０の対峙する壁面に、インサートパイプ２０の軸方向に対して垂直な方向に形成されており、単管１０の第一の孔１１に挿通したピン３０を貫通、配置する。
たとえば、単管１０に設ける第一の孔１１を、単管１０の軸心を通るようにして設けた場合、第二の孔２１もインサートパイプ２０の軸芯を通るように設けると、ピン３０を各孔１１、２１に連通して配置することができる。かかる形態を用いた場合には、ピン３０を連通させることによって、単管１０とインサートパイプ２０の軸芯を一致させることができ、軸方向の力に対して応力を偏倚させることなく、相互に伝播可能となる。
【００１４】
第二の孔２１は、インサートパイプ２０の端面から同一距離の壁面に、複数設けても良い。すなわち、インサートパイプ２０の壁面に、周方向に間隔をおいて複数の孔を設けることができる。これによって、インサートパイプ２０を単管１０に挿入した際に、第一の孔１１から第二の孔２１が見つけ易くなり、ピン３０を挿入し易くなる。
第二の孔２１は、インサートパイプ２０の端部から充分な間隔をおいて穿設する。
インサートパイプ２０の両端に設ける第二の孔２１、２１は、インサートパイプ２０の周面において、同じ軸上に設けるのが好ましい。
【００１５】
＜ニ＞ピン
ピン３０は、単管１０に設けた第一の孔１１と、インサートパイプ２０に設けた第二の孔２１とに連続して挿通する棒状の部材である。
ピン３０は、インサートパイプ２０および単管１０におよぶ力を、ピン３０への剪断を介して相互に伝播する。そのため、その剪断力に抵抗し得るだけの構造を有した部材を用いる。たとえばピン３０には、丸鋼など無垢の鋼材が使用できる。
【００１６】
ピン３０は、第一の孔１１に挿通せしめた状態で、対峙する孔１１、１１に架け渡せる長さに形成し、好ましくはピン３０の先端が単管１０の周面から突出しないように形成する。すなわち、ピン３０の長さは単管１０の内径より大きく、外径以下とするのが好ましい。
【００１７】
なお、ピン３０の一端に、薄い板状の部材（鍔部）をピン３０軸に垂直に設けても良い。これによって、第一の孔１１に挿入したピン３０は、鍔部が単管１０の周面に引っ掛かるため簡単に設置することができ、またこの鍔部のみを単管１０に固定するだけで、ピン３０の脱落を防止することができ、さらにその厚みも薄いため、挿入に際して支障となることもない。
【００１８】
＜ホ＞封止体
封止体４０は、単管１０に形成された第一の孔１１を覆う部材であって、たとえば公知の粘着テープや、ゴムバンドのような弾性部材が使用できる。
封止体４０は、挿通したピン３０が抜け落ちなければ、必ずしも対峙する両方の第一の孔１１、１１に配置する必要はなく、また第一の孔１１の開口の一部だけを覆うものであっても良い。
【００１９】
【実施例】
以下に、本発明のパイプの継手構造を、地盤に形成したボーリング孔の中へ、調査機器（本例ではボアホールカメラ）を挿入する際に用いる長尺パイプに使用する例を説明する。
【００２０】
＜イ＞パイプの継手構造の製作
所要の長さに切断した単管１０に、インサートパイプ２０を略半分だけ嵌挿させる。
次に、半分だけ突出したインサートパイプ２０に、他の単管１０を差し込み、単管１０、１０同士を当接させる。
単管１０を転がらないようにしっかりと横置きした後、ドリルなどの公知の穿孔具を用いて、単管１０の壁面に上部から下部に貫通する孔を穿孔する。こうして、第一の孔１１、１１と第二の孔２１、２１をそれぞれ単管１０とインサートパイプ２０に一度に形成する。これらの孔１１、２１は、単管１０の軸心に対して垂直方向に、また単管１０の軸芯を通るように形成する。このとき、第一の孔１１と第二の孔２１を、各部材端部から充分な間隔をおいて設ける。これによって、ピン３０を介してかかる軸方向の応力を、単管１０およびインサートパイプ２０の端部を破断させることなく、伝播することができる。
【００２１】
隣り合う単管１０にも、同様に孔１１、２１を穿設する。この位置は、先に穿設した孔１１、２１に対して単管１０周面の同一軸上に設けるのが好ましい。これによって、孔１１、１１の開設方向は同方向となり、隣り合うピン３０、３０の挿入に際し、単管１０を回転することなく単管１０、１０の接続が行えるため、接続が容易になる。
こうして、第一の孔１１を形成した単管１０と、第二の孔２１を形成したインサートパイプ２０を作製し、棒状の鋼材を所要の長さに切断してピン３０を形成して、パイプの継手構造を完成する。
【００２２】
＜ロ＞パイプの組立て
現場に各部材１０、２０、３０を分解した状態で搬入する。
単管１０の端部に、インサートパイプ２０の一端を挿入する。インサートパイプ２０は、単管１０の第一の孔１１にインサートパイプ２０の第ニの孔３１が連通するように嵌合させる。
第一の孔１１と第二の孔２１を連通させた後、ピン３０を挿通する。
ピン３０は、第一の孔１１、第二の孔２１、そしてインサートパイプ２０の中空を通じ、対峙する壁面に形成された第二の孔２１、第一の孔１１の順番で挿通される。
ピン３０の全長を第一の孔１１に挿通した後、粘着テープ４０で第一の孔１１を覆う。粘着テープ４０は、必要に応じて二重、三重に重ねれば、万が一ボーリング孔の孔壁に粘着テープ４０が接触し、その一枚が剥がれても、残りの粘着テープ４０によって覆われているため、ピン３０の脱落を防止できる。
【００２３】
次に、突出するインサートパイプ２０に別の単管１０を挿入する。
この単管１０も、第一の孔１１をインサートパイプ２０の第ニの孔２１に合わせながら、端面が他方の単管１０に当接するまで挿通させ、ピン３０を挿通する。その後、第一の孔１１を粘着テープ４０で覆い、両方の単管１０、１０を接続する。
以上の接続作業を繰り返し行って、所要の長さのパイプを得る。
【００２４】
接続部がこのような構成である場合、従来のねじ式タイプのように、砂などの異物がねじ溝に入り込むことによって、パイプがうまく回動せず、接続に手間取る心配はない。
また、本発明は何らの工具も使用せずに、人の手の力のみによって単管１０、１０の接続が行うことができるものである。
【００２５】
＜ハ＞調査機器の挿入
先頭にくる単管１０の先端にボアホールカメラを取りつけ、これをボーリング孔内に挿入する。
この調査機器にボーリング孔壁の一方向のみを写し出すＣＣＤカメラを用いる場合、継ぎ合わせる単管１０には、一定の方向に連続する目印をつけておいても良い。これによって、地上からもボーリングの孔奥に位置するカメラが写す方向を知ることができる。
また、単管１０と単管１０との継ぎ合わせ面を、シール材などで埋めて防水仕様としても良い。
【００２６】
孔奥に配置したボアホールカメラは、カメラの諸動作を行うにつき、地上からの遠隔操作が必要になってくる。この操作をケーブルを介して行う場合には、ケーブルは単管１０の中に配置しても良い。これによって、ケーブルが孔壁に接触し、ケーブルの外面が傷ついたり、切断する危険性から回避することができる。
単管１０をゆっくりとボーリングの孔内に挿入してゆき、ボアホールカメラを下降させる。
なお、単管１０はボアホールカメラを孔内に挿入する前から、必ずしも連続した状態で準備しておく必要はなく、ボアホールカメラをボーリング孔内に挿入しつつ継ぎ合わせていってもよい。
【００２７】
＜ニ＞パイプの分解
所要の調査が終わったら単管１０、１０・・を手繰り、ボアホールカメラを地上に引き上げる。
ボアホールカメラを引き上げた後、必要に応じて粘着テープ４０を剥がし、ピン３０を孔１１から抜いて、単管１０、インサートパイプ２０を分解する。
このように本発明は、使用後には粘着テープ４０を外すだけで簡単に分解することができるので、従来のソケットタイプのように、分解に際してパイプを切断することがなく、そして他の場所でも繰り返し使用することができる。
なお、調査機器にはボアホールカメラのほか、ＣＣＤカメラなども使用できる。
【００２８】
【発明の効果】
本発明のパイプの継手構造は、以上説明したようになるから次のような効果を得ることができる。
＜イ＞単管と、インサートパイプと、ピンなど広く汎用されている部材からなるパイプの継手構造に、孔を穿設するだけの構成であるから、製作コストが安い。
また、隣り合う単管は、単管の軸方向と異なる方向に配設されたピンを以って、さらに断面の大きなインサートパイプを介して接続されているため、強い強度を備えている。
＜ロ＞ピンの挿入口を封止体で覆ってピンを固定させる構成であるから、封止体を外すだけで簡単にピンの取り外しを行うことができ、これによって再利用することもできる。また、かかる作業は簡単であるから、少ない時間ですむ点からもトータルコストが安くすみ、また接続が外れる心配もない。
さらに、単管の外側に突出する部材がないため、使用に際して邪魔になることもない。
【図面の簡単な説明】
【図１】本発明のパイプの継手構造の分解斜視図。
【図２】パイプの継手構造の横断面図。
【図３】パイプの継手構造のパイプ軸方向の断面図。
【符号の説明】
１０・・単管
１１・・第一の孔
２０・・インサートパイプ
２１・・第二の孔
３０・・ピン
４０・・封止体
【図１】
2005009603.tif 000003
【図２】
2005009603.tif 000004
【図３】
2005009603.tif 000005